(57)【特許請求の範囲】
【請求項１】
無線送受信ユニット（ＷＴＲＵ）において実行される、測定報告のための方法であって、
進化型ユニバーサル地上無線アクセスネットワーク（Ｅ−ＵＴＲＡＮ）から、報告イベント構成を受信するステップであって、前記報告イベント構成は、
サービングセル上の測定量がしきい値よりもより良くなること、
隣接セル上の測定量があらかじめ定義されたマージンだけ前記サービングセル上の測定量よりもより良くなること、
隣接セル上の測定量がサービングセルしきい値より上に測定されること、および
前記サービングセル上の測定量がしきい値よりもより悪くなること
のうちの少なくとも１つである、少なくとも１つの報告イベントトリガを含む、受信するステップと、
サービングセルからセル固有基準信号を測定するステップと、
前記少なくとも１つの報告イベントトリガが起こる条件で、測定報告を周期的に送信するステップと、
前記測定報告の周期的な送信が終了し、かつ、送信された報告の数がしきい値未満である条件で、終了表示を送信するステップと
を備えることを特徴とする方法。
【請求項２】
前記しきい値は、絶対しきい値であることを特徴とする請求項１に記載の方法。
【請求項３】
前記報告イベントは、すべての周波数内の隣接セルの測定が隣接セルしきい値を下回るようになり、および、前記サービングセル上の測定量が前記サービングセルしきい値を下回るようになることによって、トリガされることを特徴とする請求項１に記載の方法。
【請求項４】
前記測定量は、基準信号受信品質（ＲＳＲＱ）であることを特徴とする請求項１に記載の方法。
【請求項５】
前記報告イベントは、現在使用されている周波数の推定品質の測定が第１のしきい値を下回り、および、非使用周波数の推定品質が第２のしきい値を上回ることによって、トリガされることを特徴とする請求項１に記載の方法。
【請求項６】
ヒステリシスが、測定報告をトリガするのに適用されることを特徴とする請求項１に記載の方法。
【請求項７】
タイマーが、測定報告をトリガするのに適用されることを特徴とする請求項１に記載の方法。
【請求項８】
前記報告イベントは、現在使用されている周波数の推定品質の測定が第１のしきい値を下回っており、および、他のシステムの推定品質が第２のしきい値を上回っていることによって、トリガされることを特徴とする請求項１に記載の方法。
【請求項９】
測定報告を実行するように構成された無線送受信ユニット（ＷＴＲＵ）において、
サービングセルから、セル固有基準信号上で測定量を測定するよう構成された測定ユニットと、
進化型ユニバーサル地上無線アクセスネットワーク（Ｅ−ＵＴＲＡＮ）から、報告イベント構成を受信するよう構成された送受信機であって、前記報告イベント構成は、
前記サービングセル上の測定量がしきい値よりもより良くなること、
隣接セル上の測定量があらかじめ定義されたマージンだけ前記サービングセル上の測定量よりもより良くなること、
隣接セル上の測定量がサービングセルしきい値より上に測定されること、および
前記サービングセル上の測定量がしきい値よりもより悪くなること
のうちの少なくとも１つである、少なくとも１つの報告イベントトリガを含む、送受信機と
を備え、
前記送受信機は、前記少なくとも１つの報告イベントトリガが起こる条件で、測定報告を周期的に送信し、並びに、前記測定報告の周期的な送信が終了し、かつ、送信された報告の数がしきい値未満である条件で、終了表示を送信するようさらに構成されたこと
を特徴とするＷＴＲＵ。
【請求項１０】
前記しきい値は、絶対しきい値であることを特徴とする請求項９に記載のＷＴＲＵ。
【請求項１１】
前記測定量は、基準信号受信品質（ＲＳＲＱ）であることを特徴とする請求項９に記載のＷＴＲＵ。
【請求項１２】
前記報告イベントは、第１のしきい値を下回っている現在使用されている周波数の推定品質、および、第２のしきい値を上回っている非使用周波数の推定品質であることを特徴とする請求項９に記載のＷＴＲＵ。
【請求項１３】
ヒステリシスが、測定報告をトリガするのに適用されることを特徴とする請求項９に記載のＷＴＲＵ。
【請求項１４】
タイマーが、測定報告をトリガするのに適用されることを特徴とする請求項９に記載のＷＴＲＵ。
【請求項１５】
前記報告イベントは、現在使用されている周波数の推定品質の測定が第１のしきい値を下回っており、および、他のシステムの推定品質が第２のしきい値を上回っていることによって、トリガされることを特徴とする請求項９に記載のＷＴＲＵ。
【発明の詳細な説明】
【背景技術】
【０００１】
本発明は、ワイヤレス（無線）通信に関し、より詳細には、Ｅ−ＵＴＲＡＮ用のハンドオーバー関連測定報告に関する。
【０００２】
Ｅ−ＵＴＲＡ（evolved universal terrestrial radio access）およびＥ−ＵＴＲＡＮ（evolved universal terrestrial radio access network）を発達させるために３ＧＰＰ（third generation partnership project）のＬＴＥ（ロング・ターム・エボリューション）を実行する予定である。Ｅ−ＵＴＲＡおよびＥ−ＵＴＲＡＮの対象は、高いデータレート、少ない待ち時間、改善されたシステム容量およびカバレッジによるパケット最適化システムをサポートする無線アクセスネットワークを発達させることである。例えば、ＬＴＥでは、現在の３ＧＰＰのＣＤＭＡ（符号分割多重接続）技術の代わりに、ＯＦＤＭＡ（直交周波数分割多元接続）およびＦＤＭＡ（周波数分割多元接続）のエアインタフェース技術を、ダウンリンクおよびアップリンクにおいて、それぞれ使用できる。
【０００３】
Ｅ−ＵＴＲＡＮにおいて、移動性をサポートするために、ＵＥ（ユーザー機器）は、隣接セルに対してハンドオーバー関連測定を実行する必要がある。隣接セルの測定を、広範囲にわたる現実的および典型的な展開シナリオにおいて実行させ、通信中の（serving：サービング）周波数のセル、別の周波数に属するセル、または例えば、ＵＴＲＡＮ（universal terrestrial radio access network）およびＧＥＲＡＮ（ＧＳＭ（登録商標）（global system for mobile communications）／ＥＤＧＥ（enhanced data rates for ＧＳＭ evolution）radio access network）システムなど、他のアクセス技術を利用するセルを含む。
【０００４】
ＵＥは、あるイベントが生じるとまたは周期的に、測定をネットワークに伝える。ある状況において、ＵＥがイベントの発生後に周期的な報告を開始することによって十分である。個別の測定があらかじめ指定されたしきい値を超えるときに上記の複合報告メカニズムにより、ＵＥは、イベントを伝えた後に周期的な報告に切替える（すなわち、イベントにより起動された周期的な報告である）。
【０００５】
イベントにより起動された周期的な報告の主な利点は、ネットワークが非常に長い時間の間、周期的な報告を構成しなくてよいことである。このことは、周期的な報告が要望されるときにのみ開始するだろうから、シグナリングオーバヘッドをかなり低減することよりも有利である。別の利点は、周期的な報告とは異なり、ＵＥが、測定がネットワークの観点から必要でないときに測定を報告しなくてよいことである。
【０００６】
イベントにより起動された周期的な報告が望まれる１つの典型的な状況は、パスロスにおける急激な変化がある場合のコーナーエフェクト（corner effect）により特徴づけられる。上記の予期しないイベントの後に、ネットワークが周期的な報告を受信することが望ましい。これらの状況は、稠密の都市環境におけるいくつかの場所においてまったく典型的である。
【０００７】
測定制御メッセージにおける測定報告基準フィールド内において、ＵＴＲＡＮは、どのイベントが測定報告を起動するべきかをＵＥに通知する。リストアップされたイベントは、ＵＴＲＡＮが、実装されるハンドオーバーの評価機能または他の無線ネットワーク機能に対して必要とされる報告イベントを選択できるツールボックスである。指定された全てのイベントを、測定数量のどれに関しても測定する。
【発明の概要】
【発明が解決しようとする課題】
【０００８】
従来の報告メカニズムは、ＬＴＥネットワークに実装するのにいくつかの問題がある。まず第１に、現在、ＬＴＥ固有の特性を反映するＬＴＥ用のイベントの定義がない。ＵＭＴＳ（universal mobile telecommunications system）用に定義されたイベントは、ＣＤＭＡシステムのチャネルおよびフレーム構造を反映するが、ＯＦＤＭベースのフレーム構造を有するＬＴＥシステムに用いることができない。例えば、ＵＭＴＳにおいてイベント定義に対して使用される最初の共通パイロットチャネル（ＣＰＩＣＨ）は、ＣＰＩＣＨが全く存在しないから、もはやＬＴＥシステムに適切でない。前述のように、ＬＴＥシステム特性を反映するイベントを提供するべきである。
【０００９】
次に第２に、ＬＴＥシステムにおいて、イベントにより起動された周期的な測定報告に使用できるメカニズムがない。ＵＭＴＳにおいて使用されるメカニズムを、ＬＴＥにおいてイベントにより起動された周期的な報告のために、直に使用することができない。なぜならば、システムリソースをよりよく利用するために、ＬＴＥにおいて専用チャネルをＵＥに割当てていなくて、アクティブセット（active set）を、測定および測定報告を含むＬＴＥの動作のためにもはや維持しないからである。したがって、変更されたメカニズムを、ＬＴＥに提供するべきである。
【００１０】
さらに第３に、ＬＴＥシステムにおいて、専用のアップリンクチャネルがない。したがって、あるイベントの後の周期的な測定報告のために、アップリンクリソースについての要求およびスケジューリングのためのメカニズムが必要である。
【課題を解決するための手段】
【００１１】
Ｅ−ＵＴＲＡＮにおける測定報告およびイベントにより起動された周期的な測定報告のための方法および装置を開示する。ワイヤレス送受信ユニット（ＷＴＲＵ）は、通信中のセル（serving cell：サービングセル）および１つまたは複数の隣接セルからのセル固有の基準信号を監視して、Ｅ−ＵＴＲＡＮ用に定義された報告イベントを検出する。報告イベントを検出すると、ＷＴＲＵは、測定報告をネットワークに送信する。測定数量（measurement quantity：測定量）は、ＲＳＲＱ（reference signal received quality）であるとすることができる。報告イベントの検出の後に、ＷＴＲＵは、イベントにより起動された測定報告を周期的に送信することができる。ＷＴＲＵは、イベントにより起動された周期的な測定報告のために、スケジューリング要求をネットワークに送信することができる。ＷＴＲＵは、イベントにより起動された周期的な測定報告が構成された回数の前に終了する場合に、終了表示を送信することができる。ＷＴＲＵは、指定された数の周期的な報告が送信されたが、依然として、より多くの報告を送信する必要がある場合に、延長要求を送信することができる。
【００１２】
本発明のより詳細な理解を、例として与えられおよび本明細書に添付の図面と共に理解されるべき望ましい実施形態の以下の説明から得ることができる。
【発明の効果】
【００１３】
以上説明したように、従来の報告メカニズムは、ＬＴＥネットワークに実装するのにいくつかの問題が解決される。
【図面の簡単な説明】
【００１４】
【図１】Ｅ−ＵＴＲＡによりサポートされる従来のハンドオーバーシナリオを示す図である。
【図２】本発明の一実施形態に係るイベントＬ１Ａにより起動される周期的な測定報告を例示する図である。
【図３】本発明の一実施形態に係るＬＴＥシステムにおけるイベントにより起動された周期的な測定報告の処理のフローチャートである。
【図４】本発明の一実施形態に係るただ１つだけ起動されたイベントがある場合の、イベントにより起動された周期的な測定報告をサポートするためのリソーススケジューリングの処理のフローチャートである。
【図５】本発明の一実施形態に係る例示的なＷＴＲＵのブロック図である。
【発明を実施するための形態】
【００１５】
本明細書において以下に引用するときに、用語「ＷＴＲＵ」は、制限されないが、ＵＥ（ユーザー機器）、移動局、固定もしくは移動の加入者装置、ページャー、セルラー電話機、ＰＤＡ（パーソナル・デジタル・アシスタント）、コンピューター、またはワイヤレス環境において動作できるユーザーデバイスの他のあらゆる型を含む。本明細書において以下に引用する用語「ノードＢ」は、制限されないが、基地局、サイトコントローラー、ＡＰ（アクセスポイント）、またはワイヤレス環境において動作できるインタフェースデバイスの他のあらゆる型を含む。
【００１６】
Ｅ−ＵＴＲＡＮにおいて移動性をサポートするために、ＷＴＲＵは、Ｅ−ＵＴＲＡＮからのコンフィギュレーションの通りに、通信中のセルおよび１つまたは複数の隣接セルのセル固有の基準信号を監視するが、Ｅ−ＵＴＲＡＮからのコンフィギュレーションを、測定制御メッセージによって与える。Ｅ−ＵＴＲＡＮは、どのイベントをネットワークに伝えるべきか、およびどのイベントが周期的な測定報告を起動するべきかをＷＴＲＵに通知する。伝えられた測定報告に基づいて、Ｅ−ＵＴＲＡＮは、ハンドオーバー評価機能および他の無線ネットワーク機能を実行する。
【００１７】
図１に、Ｅ−ＵＴＲＡＮにおいてサポートをする必要がある種々の型のハンドオーバーを示す。ＬＴＥ内（intra-LTE）ハンドオーバーは、ＬＴＥシステム内のハンドオーバーであり、およびＬＴＥ間（inter-LTE）またはＲＡＴ間（inter-RAT）ハンドオーバーは、ＬＴＥでないシステム（例えば、ＵＴＲＡＮまたはＧＥＲＡＮ）に対するハンドオーバーである。ＬＴＥ内ハンドオーバーは、ＬＴＥシステム内における周波数内（intra-frequency）のハンドオーバーまたは周波数間（inter-frequency）のハンドオーバーとすることができる。ＬＴＥシステム内における周波数内のハンドオーバーは、同一周波数内および受信帯域幅内のハンドオーバー、または同一周波数内だが受信帯域幅外のハンドオーバーであるとすることができる。ＬＴＥシステム内の周波数間のハンドオーバーは、別のＥ−ＵＴＲＡＮ周波数分割複信（ＦＤＤ）の周波数に対するハンドオーバー、またはＥ−ＵＴＲＡＮ時分割複信（ＴＤＤ）の周波数に対するハンドオーバーであるとすることができる。
【００１８】
測定イベントについての３つの異なるカテゴリを、ＬＴＥシステムにおいて定義する。すなわち、周波数内報告イベント、周波数間報告イベント、およびＲＡＴ間報告イベントである。
【００１９】
周波数内報告イベントにより、ＬＴＥシステム内の周波数内のハンドオーバーを評価するためにネットワークに伝える。周波数内報告イベントを、次の通りに定義する。
【００２０】
周波数内測定報告イベント−１。すなわち、通信中でないＬＴＥセル（すなわち、隣接セル）の測定数量が、ある範囲の差において通信中のＬＴＥセルの測定数量よりもより良くなる場合である。例えば、周波数内の隣接セルのＲＳＲＱが、あらかじめ構成された範囲の差において通信中のセルのＲＳＲＱより高く測定される場合に、ＷＴＲＵは、このイベントをネットワークに伝える。Ｅ−ＵＴＲＡＮは、測定の範囲により、上記のイベントを接続状態のときに伝えるようＷＴＲＵに命令して、隣接セルのＲＳＲＱが通信中のセルのＲＳＲＱよりも良い場合にセルのリダイレクションのために用意してセルのリダイレクションの候補になるようにすることができ、または通信中のセルのＲＳＲＱが通信中のセルしきい値より下に測定される場合に周波数内ハンドオーバーを起動することができる。
【００２１】
周波数内測定報告イベント−２。すなわち、最適の隣接セルが、あらかじめ定義された範囲の差において、通信中のセルのしきい値より上に測定される場合である。例えば、周波数内の隣接セルのＲＳＲＱが他の隣接セルの中において最も良いと測定され、および測定値があらかじめ構成された範囲の差において通信中のセルのしきい値より上だが、通信中のセルのＲＳＲＱが依然として通信中のセルのしきい値より下であるときに、ＷＴＲＵは、このイベントをネットワークに伝える。Ｅ−ＵＴＲＡＮは、可能性がある周波数内のハンドオーバーについて用意するために、このイベントを接続状態のときに伝えるようＷＴＲＵに命令することができる。
【００２２】
周波数内測定報告イベント−３。すなわち、通信中のＬＴＥセルの測定数量が、絶対しきい値よりもより良くなる場合である。例えば、通信中のセルのＲＳＲＱが通信中のセルの最小しきい値より上に測定される場合に、ＷＴＲＵは、このイベントをネットワークに伝える。Ｅ−ＵＴＲＡＮは、可能性があるハンドオーバーまたはセルのリダイレクションのための準備を停止するために、またはＷＴＲＵの移動性に対して他の型のＷＴＲＵの測定を停止するために、このイベントを接続状態のときに伝えるようＷＴＲＵに命令することができる。さらに、Ｅ−ＵＴＲＡＮは、このイベント報告を使用して、メジャーメント・ギャップ・アロケーション（measurement gap allocation）を停止することができる。このイベントが生じることによって、ＷＴＲＵは、可能性がある全ての周波数内または周波数間ＬＴＥ測定を停止することができ、または以前に構成された場合に移動性に対して隣接セルのＲＡＴ間測定を停止することができる。
【００２３】
周波数内測定報告イベント−４。すなわち、通信中のＬＴＥセルの測定数量が、絶対しきい値よりもより悪くなる場合である。例えば、通信中のセルのＲＳＲＱが通信中のセルのしきい値より下に測定される場合、ＷＴＲＵは、このイベントをネットワークに伝える。通信中のセルのしきい値は、標準定義されたＲＳＲＱの最小値、または特定のＬＴＥセル用に構成されたＲＳＲＱの最小値であるとすることができる。Ｅ−ＵＴＲＡＮは、可能性があるハンドオーバーまたはセルのリダイレクションのための準備、またはＷＴＲＵの移動性に対して（メジャーメント・ギャップ・アロケーションを含む）他の型のＷＴＲＵの測定の命令のために、このイベントを接続状態のときに伝えるようＷＴＲＵに命令することができる。ＷＴＲＵは、接続状態において隣接セルの周波数内ＬＴＥ測定またはＥ−ＵＴＲＡＮにより命令される他の測定を開始するときに、このイベントをＥ−ＵＴＲＡＮに伝えることができる。
【００２４】
周波数内測定報告イベント−５。すなわち、全ての周波数内のＬＴＥの隣接セルのＲＳＲＱが隣接セルのしきい値より下に測定され、および通信中のセルのＲＳＲＱが通信中のセルのしきい値より下である場合である。隣接セルのしきい値は、通信中のセルのしきい値と同一であるとすることができ、または異なるシステム構成のしきい値であるとすることができる。Ｅ−ＵＴＲＡＮは、周波数間ＬＴＥ測定をアクティベートするまたはＲＡＴ間測定をアクティベートする必要性の表示のために、このイベントを接続状態のときに伝えるようＷＴＲＵに命令することができる。さらに、Ｅ−ＵＴＲＡＮが、必要とされる周波数間ＬＴＥ測定またはＲＡＴ間測定のためにメジャーメント・ギャップ・アロケーションを構成し始めることを示す。
【００２５】
周波数間報告イベントを、ＬＴＥシステム内の周波数間ハンドオーバーを評価するためにネットワークに伝える。周波数間報告イベントを次の通りに定義する。
【００２６】
周波数間測定報告イベント−１。すなわち、現在の使用ＬＴＥ周波数についての評価品質が、あるしきい値より下であり、および未使用のＬＴＥ周波数についての評価品質が、あるしきい値より上である場合である。未使用の周波数は、ＷＴＲＵが測定するよう指示された周波数であるが、接続のためには使用されない。使用周波数は、ＷＴＲＵが測定するよう指示されて、および現在、接続のために使用される。ＷＴＲＵは、このイベントをＥ−ＵＴＲＡＮに伝えることができ、およびＥ−ＵＴＲＡＮは、未使用の周波数の全体的なロードおよびリソースの条件に基づいて周波数間ハンドオーバーを実実行するようＷＴＲＵに命令できる。
【００２７】
周波数間測定報告イベント−２。すなわち、未使用のＬＴＥ周波数帯域における隣接セルのＲＳＲＱが、そのピアの中において最適であり、および関連しきい値よりも上である場合である。このしきい値は、ネットワークによって構成でき、またはシステム指令に基づいてＷＴＲＵにより得ることができる。Ｅ−ＵＴＲＡＮは、可能性のあるＬＴＥ周波数間ハンドオーバーの表示のためにこのイベントを接続状態のときに伝えるようＷＴＲＵに命令できる。
【００２８】
ＲＡＴ間報告イベントを、ＬＴＥ間ハンドオーバーまたはＲＡＴ間ハンドオーバーを評価するためにネットワークに伝える。ＲＡＴ間報告イベントを、次のとおりに定義する。すなわち、現在の使用ＬＴＥ周波数についての評価品質が、あるしきい値より下であり、およびもう一方のシステム（もう一方のＲＡＴ）の評価品質が、あるしきい値より上である。ＷＴＲＵは、このイベントをＥ−ＵＴＲＡＮに伝えることができ、およびＥ−ＵＴＲＡＮは、もう一方のシステム／ＲＡＴと取決めて、ＲＡＴ間ハンドオーバーのためにＷＴＲＵに命令できる。
【００２９】
上に開示された全ての測定イベントに対して、測定を起動するためのヒステリシスおよび／またはタイマーを、Ｅ−ＵＴＲＡＮにより命令して、ピンポン効果を回避できる。
【００３０】
周波数間ＬＴＥハンドオーバーに対して、未使用のＬＴＥ周波数帯域についての測定数量が、現在の使用ＬＴＥ周波数帯域についての測定数量よりも良いときに、ＷＴＲＵは、このイベントをネットワークに伝える。頻繁な周波数間切替え（すなわち、ＬＴＥシステムにおける別の周波数へのハンドオーバー）は、システムとＷＴＲＵとのの両方の見方について望ましくないので、未使用の周波数間ＬＴＥ帯域の測定を実行して、未使用のＬＴＥ周波数帯域に対してハンドオーバーを実行する場合に、ある一定期間、周波数帯域においてＷＴＲＵの安定した動作をサポートする相当数のＬＴＥのセルがあることを確実にするべきである。
【００３１】
ＬＴＥ周波数帯域の品質をよりよく測定するために、および周波数間ＬＴＥハンドオーバー後の最小の一定期間、周波数帯域においてＷＴＲＵの動作の安定を確実にするために、ＬＴＥ周波数の品質評価は、可能性のある全てのソースから受信される全体の広帯域電力とコチャネルおよび隣接チャネルの干渉と熱雑音とだけでなく、ＷＴＲＵが監視できるセルのＲＳＲＱの測定値も含むので、ＷＴＲＵがＬＴＥ周波数帯域にハンドオーバーされる場合に、ＷＴＲＵは、周波数間のピンポン効果なしに、ある一定期間、とどまり（camp）および動作するための少なくともいくらかのセルを有するものである。さらに、周波数帯域の測定数量は、Ｅ−ＵＴＲＡＮの搬送波の受信信号強度インジケータ（ＲＳＳＩ）であるとすることができて、周囲の干渉および雑音に加えて、その周波数帯域において総計されたセルのロードを反映する。
【００３２】
ＷＴＲＵが未使用のＬＴＥ周波数帯域についての受信品質を測定しおよび評価するために、ネットワークは、以下の測定用のパラメーターを構成する。  
（１）最小のＲＳＲＱのしきい値。周波数品質を測定するために選択されたセル（すなわち、測定可能なセルのセットの中のセル）は、最小のＲＳＲＱのしきい値以上の測定されたＲＳＲＱを有さなければならない。  
（２）周波数品質を測定するためのセルの最小数およびオプションとして最大数（すなわち、測定可能なセルのセットの要素についての最小数またはオプションとして最大数）。  
（３）測定を起動するためのヒステリシスとタイマー、およびＲＳＲＱの測定を評価するのに使用される重み値。  
（４）測定可能なセルのセットの中のセルに関する未使用のＬＴＥ周波数帯域のセル情報。この情報は、ＲＳＲＱを測定するためのセルを検出することによって、Ｅ−ＵＴＲＡＮが構成でき、またはＷＴＲＵが生成できる。どちらにしてもＲＳＲＱのしきい値よりもより低いセルは、測定可能なセルのセットに含まれない。測定可能なセルのセットの中にあるという権限を与えられるセルについての構成された最大数よりも多いセルがある場合に、測定されたＲＳＲＱの値に基づいてＮ個（Ｎは、測定するためのセルについての構成された最大数）のセルを選ぶ。
【００３３】
未使用のＬＴＥ周波数帯域の品質評価を、測定可能なセルのセットの中のセルから個々のＲＳＲＱの結果を合計することにより行い、および必要とされる、報告する測定の大きさに変換することができる。合計は、各個の純粋なセルの結果だけを使用することができ、または急なサージを平らにするために、ある重み値を最適および／または最小のＲＳＲＱの値に用いることができる。ネットワークへの周波数品質の測定報告は、可能な周波数へのハンドオーバーの後にとどまる条件を示す、測定可能なセルの数を含むことができる。
【００３４】
本明細書において以下に、図２および図３を参照して、イベントにより起動された周期的な測定報告の手順を、説明する。手順を、例として周波数内測定報告イベント−１に関して説明する。しかしながら、上に開示された測定報告イベントのどれでも周期的な測定報告を起動することができ、および本明細書において説明されるイベントにより起動された周期的な測定報告の手順は、ＬＴＥの周波数内／周波数間のハンドオーバーおよびＬＴＥ間／ＲＡＴ間のハンドオーバーの状態を含む全てのカテゴリにおける他の全ての測定報告イベントに対して一般的であり、および測定報告イベントのどれに対しても用いることができることを補足すべきである。
【００３５】
図２は、周波数内測定報告イベント−１によって起動される周期的な測定報告を例示する。図３は、ＬＴＥシステムにおけるイベントにより起動された周期的な測定報告の処理３００のフローチャートである。ＷＴＲＵは、測定報告のイベント（この例では、周波数内測定報告イベント−１）を検出する（ステップ３０２）。図２に示すように、報告イベントを、通信中のセルの基準チャネルの測定数量が報告範囲の値よりもより高くなるときであるｔ１において検出する。ＷＴＲＵは、イベントにより起動された測定報告をネットワークに送信する（ステップ３０４）。次に、ＷＴＲＵは、周期的な報告間隔の設定が零であるかどうかをチェックする（ステップ３０６）。報告間隔の設定が零である場合に、周期的な報告を、開始せず、および処理３００は、終了する。報告間隔の設定が零でない場合に、ＷＴＲＵは、周期的な測定報告を開始する（ステップ３０８）。
【００３６】
周期的な測定報告を、指定された間隔において、および指定された回数に対して実行する。各々の周期的な測定報告間隔（図２のｔ２およびｔ３）において、ＷＴＲＵは、測定報告をＥ−ＵＴＲＡＮに送信する。
【００３７】
報告間隔および必要とされる報告数を、Ｅ−ＵＴＲＡＮによって測定制御メッセージにおいて構成する。いくつかの報告間隔およびパラメーターを、いくつかの報告イベントに対して同時に構成することができる。測定報告は、報告の許容範囲において候補のセットおよび／または監視されるセルのセットの中のセルに関して測定数量を含むことができる。監視されるセルのセットは、ＷＴＲＵが測定を実行するのに必要なセルを含む。
【００３８】
周期的な測定報告を、構成された回数の後に終了するが、それは、Ｅ−ＵＴＲＡＮによって指定される。加えて、さらに、周期的な測定報告を、（報告イベントの範囲から）報告の基準を満たすセルがない場合に、Ｅ−ＵＴＲＡＮまたはＷＴＲＵが新しい測定および評価に基づいて候補のセットを既に更新した場合に、または最大数の測定報告を送信した場合に終了することができる。例えば、図２に示すように、周期的な測定報告を、通信中のセルの基準チャネルの測定数量がｔ４において報告の範囲の値よりもより低くなる場合に終了することができる。
【００３９】
本明細書において以下に、ＬＴＥにおけるイベントにより起動された周期的な測定報告をサポートするためのリソーススケジューリング処理を、説明する。イベントにより起動された測定報告およびリソーススケジューリングに関して、３つの状態がある。第１のケースは、現在起動されるただ１つのイベントがある場合である。第２のケースは、ほぼ同時に２つ以上の測定報告が起動される場合である。第３のケースは、イベントが、あらかじめ起動されたイベントの終了の前に、より早期に起動された報告イベントがある間に周期的な報告に対して起動される場合である。
【００４０】
図４は、ただ１つの起動されたイベントがある場合に、イベントにより起動された周期的な測定報告をサポートするリソーススケジューリングの処理４００のフローチャートである。周期的な報告が起動されると（ステップ４０２）、測定値を指定された間隔において報告する必要がある。周期的な報告のために、ＷＴＲＵは、使用できるアップリンクリソースがあるかどうか、使用できるアップリンクリソースが周期的な測定情報を伝えるのに十分かどうか、および使用できるアップリンクリソースの周期性が周期的な測定報告のために必要とされる報告間隔を満たすかどうかを決定する（ステップ４０４）。これらの全ての条件を満たす場合に、ＷＴＲＵは、アップリンクリソースを周期的な測定報告のために使用する（ステップ４０６）。
【００４１】
これらの条件のどれかを満たさない場合に、ＷＴＲＵは、新しい周期的なアップリンクリソース割当てのためにスケジューリング要求をｅＮＢ（ｅｖｏｌｖｅｄ  Ｎｏｄｅ  Ｂ）に送信する（ステップ４０８）。スケジューリング要求は、ＷＴＲＵが送信するのに必要であるリソースの必要な量および報告の数を含むことができる。リソース要求の粒度（granularity）を、規格において指定することができ、および別個の測定数量およびイベントに対する測定報告の大きさに基づいてＥ−ＵＴＲＡＮにより信号送信できる。ＷＴＲＵは、イベントの数および測定報告量に基づいて、いくつかの最小粒度のリソースを要求できる。
【００４２】
ＷＴＲＵは、ｅＮＢからアップリンクの周期的なリソース割当てを受信する（ステップ４１０）。ｅＮＢがアップリンクの周期的なリソースを割当てるとき、ｅＮＢは、Ｅ−ＵＴＲＡＮが指定することに基づいて、またはＷＴＲＵが要求することに基づいて、リソース（すなわち、繰返しの回数および周期性）を割当てることができる。必要リソース量がリソース要求において示されない場合に、ｅＮＢは、標準化された量に基づいてリソースを割当てることができる。ＷＴＲＵは、割当てられたアップリンクリソースを使用して測定報告を送信する（ステップ４１２）。
【００４３】
周期的な測定を、指定された報告数の前に終了できる。上記の場合に、ＷＴＲＵは、終了の表示をＥ−ＵＴＲＡＮに送信できる。終了の表示を、最後の測定報告と一緒にｅＮＢへ送信できる。代替として、終了の表示を、Ｌ１またはＬ２の信号送信により（例えば、媒体アクセス制御（ＭＡＣ）ヘッダーにおいて）個々に送信できる。
【００４４】
指定された報告数に達すると、周期的な測定を、延長する必要があることがある。指定された数の周期的な報告が送信されたが、依然としてより多くの報告を送信する必要がある場合に、ＷＴＲＵは、周期的なアップリンクリソースの延長に対して延長要求をｅＮＢに送信できる。延長要求を、測定報告に含むことができ、またはＬ１かＬ２かの信号送信によって送信できる。ＷＴＲＵは、ＷＴＲＵが送信する新しい報告数を延長要求において指定できる。代替として、報告数が示されない場合に、最後の周期的な報告と同じ数をｅＮＢによって割当てることができる。
【００４５】
いくつかのイベントがほとんど同時に起動される場合に、周期的な報告およびリソーススケジューリングの処理は、処理４００と同様である。異なるイベントにより起動された報告は、同じ間隔および／または指定された報告数を有することができ、または異なる間隔および／または指定された報告数を有することができる。複数の報告を、一緒に組合せることができ、または個々に報告できる。ＷＴＲＵに割当てられた現在のアップリンクリソースが十分でない場合に、追加のリソース要求を、Ｅ−ＵＴＲＡＮに送信できる。
【００４６】
スケジューリング要求は、起動される全てのイベントに対してリソースを要求することができる。各イベントに対するリソース量および報告間隔を（それらが異なる場合に）、スケジューリング要求において指定できる。いくつかの報告を一緒に組合せる場合に、リソースの総量を、周期的な報告に対して要求しおよび割当てられるべきである。
【００４７】
イベントにより起動されたあらゆる周期的な測定報告を、指定された回数よりもより早く終了する必要がある場合に、ＷＴＲＵは、終了の表示をｅＮＢに送信できる。代替として、ＷＴＲＵは、割当てられたリソースを変更なしに使用または消費できる。割当てられたアップリンクリソースは、長持ちしないことがあり、およびＷＴＲＵは、割当てられたアップリンクリソースをあらゆる目的に対して有することができ、およびＷＴＲＵとＥ−ＵＴＲＡＮとの間の送信オーバヘッドをセーブするために割当てられたアップリンクリソースを使用できないことがある。指定された数の報告を実行したとき、起動された周期的な測定報告のあらゆる１つを延長する必要がある場合に、ＷＴＲＵは、その報告に対して延長要求を送信できる。
【００４８】
イベントを、前に起動されたイベントの終了の前に、より早期に起動された報告イベントがある間、周期的な報告に対して起動できる。次に起動された周期的な報告のための新しいリソース要求を、個々に要求できる。新しい報告を、早期に起動された周期的な報告と組合せることができる。
【００４９】
図５は、例示的なＷＴＲＵ５００のブロック図である。ＷＴＲＵは、測定ユニット５０２、コントローラー５０４、およびトランシーバー５０６を含む。測定ユニット５０２を、上に開示したような、通信中のセルおよび隣接セルからのセル固有の基準信号について測定数量を測定するように変更する。測定数量は、周波数内測定、周波数間測定、またはＲＡＴ間測定であるとすることができる。コントローラー５０４を、上に開示した測定および報告の手順全体を制御するように変更する。コントローラー５０４は、Ｅ−ＵＴＲＡＮ用に定義された報告イベントを検出し、およびトランシーバー５０６により測定報告を送信する。
【００５０】
コントローラー５０４は、上述のような、イベントにより起動された周期的な測定報告を周期的に送信できる。さらに、コントローラー５０４を、イベントにより起動された周期的な測定報告のためにスケジューリング要求を送信し、および割当てられたリソースを使用してイベントにより起動された周期的な測定報告を送信するように変更する。コントローラー５０４は、構成された回数の前にイベントにより起動された周期的な測定報告を終了する場合に、終了の表示を送信できる。コントローラー５０４は、指定された数の周期的な報告を送信したが、依然として、より多くの報告を送信する必要がある場合に、延長要求を送信できる。
【００５１】
（実施形態）
１．Ｅ−ＵＴＲＡＮにおいてＷＴＲＵの移動性をサポートするための測定報告の方法。  
２．通信中のセルおよび隣接セルからのセル固有の基準信号を監視することを含む実施形態１の方法。  
３．Ｅ−ＵＴＲＡＮ用に定義された報告イベントを検出することを含む実施形態２の方法。  
４．報告イベントの検出によって測定報告を送信することを含む実施形態３の方法。  
５．報告イベントは、通信中でないセルの測定数量が、あらかじめ構成された許容範囲のよって通信中のセルの測定数量よりもより良くなることである実施形態３−４の方法。  
６．報告イベントは、最適の隣接セルが、あらかじめ定義された許容範囲によって通信中のセルのしきい値より上に測定されることである実施形態３−５の方法。  
７．報告イベントは、通信中のセルの測定数量が絶対しきい値よりもより良くなることである実施形態３−６の方法。  
８．報告イベントは、通信中のセルの測定数量が絶対しきい値よりもより悪くなることである実施形態３−７の方法。  
９．報告イベントは、全ての周波数内隣接セルの測定数量が隣接セルのしきい値より下であり、通信中のセルの測定数量が通信中のセルのしきい値より下であることである実施形態３−８の方法。  
１０．測定数量は、ＲＳＲＱである実施形態５−９の方法。  
１１．報告イベントは、現在の使用周波数についての評価された品質が第１のしきい値より下であり、未使用の周波数についての評価された品質が第２のしきい値より上であることである実施形態３−１０の方法。  
１２．報告イベントは、未使用の周波数帯域における隣接セルの測定数量がそのピアの中において最適であり第３のしきい値より上であることである実施形態３−１１の方法。  
１３．報告イベントは、現在の使用周波数についての評価された品質が第１のしきい値より下であり、もう一方のシステムについての評価された品質が第２のしきい値より下であることである実施形態３−１２の方法。  
１４．ヒステリシスとタイマーとのうちの少なくとも一つを用いることにより、測定を起動して測定報告を送信する実施形態４−１３の方法。  
１５．測定報告は、測定するセルのセットの未使用の周波数帯域に対するＲＳＲＱの測定値と、未使用の周波数帯域に対する全てのソースから受信される全体の広帯域電力とを含む実施形態４−１４の方法。  
１６．測定するセルのセットに対するＲＳＲＱの測定値を、未使用の周波数帯域の品質を評価するために合計する実施形態１５の方法。  
１７．イベントにより起動された周期的な測定報告を周期的に送信することをさらに含む実施形態４−１６の方法。  
１８．イベントにより起動された周期的な測定報告のためのスケジューリング要求を送信することをさらに含む実施形態１７の方法。  
１９．リソース割当てを受信することをさらに含み、イベントにより起動された周期的な測定報告を、受信されたリソース割当てを使用して送信する実施形態１８の方法。  
２０．スケジューリング要求は、送信するのに必要なリソースに必要とされる量と報告数とを含む実施形態１８−１９の方法。  
２１．イベントにより起動された周期的な測定報告を構成された回数の前に終了する場合に終了の表示を送信することをさらに含む実施形態１８−２０の方法。  
２２．イベントにより起動された周期的な測定報告を、報告する基準を満たすセルがない場合に、候補のセットを更新した場合に、または最大数の測定報告を送信した場合に終了する実施形態２１の方法。  
２３．終了の表示を、最後の測定報告と一緒に送信する実施形態２１−２２の方法。  
２４．指定された数の周期的な報告を送信したが依然としてより多くの報告を送信する必要がある場合に延長要求を送信することをさらに含む実施形態１８−２３の方法。  
２５．送信する必要がある新しい報告数を、延長要求において示す実施形態２４の方法。  
２６．スケジューリング要求は、起動される全てのイベント用のリソースを要求する実施形態１８−２５の方法。  
２７．Ｅ−ＵＴＲＡＮにおけるＷＴＲＵの移動性をサポートするために測定報告を実行するよう構成されたＷＴＲＵ。  
２８．通信中のセルおよび隣接セルからセル固有の基準信号に対して測定数量を測定するよう変更された測定ユニットを備えた実施形態２７のＷＴＲＵ。  
２９．Ｅ−ＵＴＲＡＮ用に定義された報告イベントを検出して、報告イベントの検出によって測定報告を送信するよう変更されたコントローラーを備えた実施形態２８のＷＴＲＵ。  
３０．報告イベントは、通信中でないセルの測定数量が、あらかじめ構成された許容範囲によって通信中のセルの測定数量よりもより良くなることである実施形態２９のＷＴＲＵ。  
３１．報告イベントは、最適の隣接セルが、あらかじめ定義された許容範囲よって通信中のセルしきい値より上に測定されることである実施形態２９−３０のＷＴＲＵ。  
３２．報告イベントは、通信中のセルの測定数量が絶対しきい値よりもより良くなることである実施形態２９−３１のＷＴＲＵ。  
３３．報告イベントは、通信中のセルの測定数量が絶対しきい値よりもより悪くなることである実施形態２９−３２のＷＴＲＵ。  
３４．報告イベントは、全ての周波数内の隣接セルについての測定数量が隣接セルのしきい値より下であり、通信中のセルの測定数量が通信中のセルのしきい値より下であることである実施形態２９−３３のＷＴＲＵ。  
３５．測定数量は、ＲＳＲＱである実施形態２９−３４のＷＴＲＵ。  
３６．報告イベントは、現在の使用周波数についての評価される品質が第１のしきい値より下であり、未使用の周波数についての評価される品質が第２のしきい値より上であることである実施形態２９−３５のＷＴＲＵ。  
３７．報告イベントは、未使用の周波数帯域における隣接セルの測定数量がそのピアの中において最適であり第３のしきい値より上であることである実施形態２９−３６のＷＴＲＵ。  
３８．報告イベントは、現在の使用周波数についての評価される品質が第１のしきい値より下であり、もう一方のシステムについての評価される品質が第２のしきい値より上であることである実施形態２９−３７のＷＴＲＵ。  
３９．コントローラーは、ヒステリシスとタイマーとのうちの少なくとも一つを用いることにより、測定を起動して測定報告を送信する実施形態２９−３８のＷＴＲＵ。  
４０．測定ユニットは、測定するセルのセットの未使用の周波数帯域に対するＲＳＲＱの測定値と、未使用の周波数帯域に対する全てのソースからの受信される全体の広帯域電力とを測定し、およびコントローラーは、測定報告においてＲＳＲＱの測定値および受信される全体の広帯域電力を含む実施形態２９−３９のＷＴＲＵ。  
４１．測定するセルのセットに対するＲＳＲＱの測定値を、未使用の周波数帯域についての品質を評価するために合計する実施形態４０のＷＴＲＵ。  
４２．コントローラーを、イベントにより起動された周期的な測定報告を周期的に送信するように変更する実施形態２９−４１のＷＴＲＵ。  
４３．コントローラーを、イベントにより起動された周期的な測定報告のためにスケジューリング要求を送信してリソース割当てを受信するように変更し、受信されたリソース割当てを使用してイベントにより起動された周期的な測定報告を送信する実施形態４２のＷＴＲＵ。  
４４．スケジューリング要求は、送信するのに必要なリソースの必要とされる量と報告数とを含む実施形態４３のＷＴＲＵ。  
４５．コントローラーを、イベントにより起動された周期的な測定報告を、構成された回数の前に終了する場合に、終了の表示を送信するように変更する実施形態４３−４４のＷＴＲＵ。  
４６．イベントにより起動された周期的な測定報告を、報告する基準を満たすセルがない場合に、候補のセットを更新した場合に、または最大数の測定報告を送信した場合に終了する実施形態４５のＷＴＲＵ。  
４７．終了の表示を、最後の測定報告と一緒に送信する実施形態４５−４６のＷＴＲＵ。  
４８．コントローラーを、指定された数の周期的な報告を送信したが依然としてより多くの報告を送信する必要がある場合に延長要求を送信するように変更する実施形態４３−４７のＷＴＲＵ。  
４９．送信する必要がある新しい報告数を、延長要求において示す実施形態４８のＷＴＲＵ。  
５０．スケジューリング要求は、起動される全てのイベントに対してリソースを要求する実施形態４３−４９のＷＴＲＵ。
【００５２】
本発明の特徴および要素は、望ましい実施形態において特定の組合せにて説明されるが、各特徴または要素を、望ましい実施形態の他の特徴および要素なしに単独においてまたは本発明の他の特徴および要素ありもしくはなしに様々な組合せにおいて使用できる。本発明において与えられる方法またはフローチャートを、汎用コンピューターまたはプロセッサによって実行するためのコンピューター読取り可能な記憶媒体に明白に埋め込まれたコンピュータープログラム、ソフトウェア、またはファームウェアに実装することができる。コンピューター読取り可能な記憶媒体の例は、ＲＯＭ（read only memory）、ランダム・アクセス・メモリ（ＲＡＭ）、レジスタ、キャッシュメモリ、半導体メモリデバイス、内蔵ハードディスクおよび取外し可能なディスクなどの磁気媒体、光磁気媒体、ならびにＣＤ−ＲＯＭディスクおよびデジタル多用途ディスク（ＤＶＤ）などの光学媒体を含む。
【００５３】
適切なプロセッサは、例として、汎用プロセッサ、専用プロセッサ、従来のプロセッサ、ＤＳＰ（digital signal processor）、複数のマイクロプロセッサ、ＤＳＰコアと共同する１つまたは複数のマイクロプロセッサ、コントローラ、マイクロコントローラー、特定用途向け集積回路（ＡＳＩＣ）、フィールド・プログラマブル・ゲート・アレイ（ＦＰＧＡ）回路、あらゆる他の型の集積回路（ＩＣ）、および／または状態マシンを含む。
【００５４】
ソフトウェアと共同するプロセッサを使用して、ワイヤレス送受信ユニット（ＷＴＲＵ）、ユーザー機器（ＵＥ）、端末、基地局、無線ネットワークコントローラー（ＲＮＣ）、またはあらゆるホストコンピューターにおいて使用するための無線周波数トランシーバーを実装できる。ＷＴＲＵを、例えば、カメラ、ビデオ・カメラ・モジュール、ビデオホン、スピーカーホン、振動デバイス、スピーカー、マイクロホン、テレビジョントランシーバー、ハンズ・フリー・ヘッドセット、キーボード、ブルートゥース（登録商標）モジュール、周波数変調（ＦＭ）無線ユニット、液晶ディスプレイ（ＬＣＤ）表示ユニット、有機発光ダイオード（ＯＬＥＤ）表示ユニット、デジタル音楽プレーヤー、メディアプレーヤー、ビデオ・ゲーム・プレーヤー・モジュール、インターネットブラウザー、および／またはあらゆるワイヤレス・ローカル・エリア・ネットワーク（ＷＬＡＮ）・モジュールなど、ハードウェアおよび／またはソフトウェアに実装されるモジュールと共同して使用できる。
【産業上の利用可能性】
【００５５】
本発明は、一般的に無線通信システムに利用することができる。特に、Ｅ−ＵＴＲＡＮに利用できる。
【符号の説明】
【００５６】
５００  ＷＴＲＵ
５０２  測定ユニット
５０４  コントローラ
５０６  送受信機
【図１】
0005941171.tif 000002
【図２】
0005941171.tif 000003
【図３】
0005941171.tif 000004
【図４】
0005941171.tif 000005
【図５】
0005941171.tif 000006